(57)【要約】【課題】ミラーパネルと支持台との間に隙間が空くことを最小限に抑えることができるスライドミラー装置を提供する。【解決手段】支持台１１の上端部に備えられた支持側レール固定金具１４の裏側に支持側レール部１３を取り付け、この支持側レール部１３の裏側にスライド側レール部１５を連結し、このスライド側レール部１５の裏側にスライド側レール固定金具１６を取り付ける。ミラーパネル１２を支持台１１の表面側に配置し、支持側レール部１３の表側からスライド側レール部１５の裏側に渡って形成された連結部材２１を介して、ミラーパネル１２をスライド側レール固定金具１６に連結すると共に支持台１１に吊り下げることでスライドミラー装置１０を構成する。【選択図】図６
2017093875.tif 000002
【特許請求の範囲】
【請求項１】
支持台の表面側に備えられたミラーパネルが、前記支持台に備えられた支持側レール部と前記ミラーパネルに備えられたスライド側レール部とを介して自在にスライドするスライドミラー装置において、
前記支持側レール部が、前記支持台の上端部に備えられ、
前記スライド側レール部が、前記支持側レール部の裏側に連結されると共に、前記支持側レール部の表側から前記スライド側レール部の裏側に渡って形成された連結部材を介して、前記ミラーパネルと連結された、
ことを特徴とするスライドミラー装置。
【請求項２】
前記連結部材が、前記スライド側レール部の裏側に引っ掛かるフック状に形成された、
ことを特徴とする請求項１に記載されたスライドミラー装置。
【請求項３】
前記スライド側レール部から裏側に向けられた支持部が備えられ、
前記連結部材のうち、前記支持部に支持された引掛け部の下端が、裏側に向けて鋭角に折り返された形状である、
ことを特徴とする請求項１または請求項２に記載されたスライドミラー装置。
【請求項４】
前記ミラーパネルを前記支持台に沿ってスライドさせるキャスターが、前記ミラーパネルの下端部に備えられた、
ことを特徴とする請求項１から請求項３のいずれか１項に記載されたスライドミラー装置。
【請求項５】
複数の前記支持側レール部と複数の前記スライド側レール部とが平行に配置された、
ことを特徴とする請求項１から請求項４のいずれか１項に記載されたスライドミラー装置。
【発明の詳細な説明】
【技術分野】
【０００１】
本発明は、スライドする鏡が支持台に備えられたスライドミラー装置に関するものである。
【背景技術】
【０００２】
従来、例えば理美容施設などに備えられた鏡付きのラックは、内側に収納棚やシャンプーボールが備えられ、鏡をスライドさせることで内側の収納棚などが露出するものがある。このようなものとして、例えば下記特許文献１に記載された美容室用スライドミラー装置がある。
【０００３】
この美容室用スライドミラー装置によれば、ラックと鏡との間にレール部材が備えられ、このレール部材を介して鏡がラックに対して自在にスライドする。また、鏡がラックに接触しないように、鏡の裏側に板材が設けられている。
【先行技術文献】
【特許文献】
【０００４】
【特許文献１】実公昭５７−４９９２６号公報
【発明の概要】
【発明が解決しようとする課題】
【０００５】
しかし、美容室用スライドミラー装置は、上記したとおりラックと鏡との間にレール部材が備えられているため、レール部材の厚みの分だけラックと鏡との間に隙間が空く。また、鏡がラックに接触しないように、鏡の裏側に板材を設ける必要があるため、板材の厚みの分だけ、さらに鏡との間に隙間が空く。そうすると、ラックの内側にある収納棚などが、側方から見ると隙間から露出し、美感を損なう場合がある。また、シャンプーなどを行う場合、鏡をスライドさせてラックからシャンプーボールを外側に向けて引出し、施術者がシャンプーボールの側方に立って施術するところ、スライドさせた鏡がレール部材や板材の分だけ表側に張り出しているため、施術の妨げとなる場合がある。
【０００６】
本発明は、上記の実情に鑑みて提案されたものである。すなわち、鏡の裏側に隙間が空くことを最小限に抑えることができるスライドミラー装置の提供を目的とする。
【課題を解決するための手段】
【０００７】
上記目的を達成するために、本発明に係るスライドミラー装置は、支持台の表面側に備えられたミラーパネルが、前記支持台に備えられた支持側レール部と前記ミラーパネルに備えられたスライド側レール部とを介して自在にスライドするスライドミラー装置において、前記支持側レール部が、前記支持台の上端部に備えられ、前記スライド側レール部が、前記支持側レール部の裏側に連結されると共に、前記支持側レール部の表側から前記スライド側レール部の裏側に渡って形成された連結部材を介して、前記ミラーパネルと連結された、ことを特徴とする。
【０００８】
本発明に係るスライドミラー装置は、前記連結部材が、前記スライド側レール部の裏側に引っ掛かるフック状に形成された、ことを特徴とする。
【０００９】
本発明に係るスライドミラー装置は、前記スライド側レール部から裏側に向けられた支持部が備えられ、前記連結部材のうち、前記支持部に支持された引掛け部の下端が、裏側に向けて鋭角に折り返された形状である、ことを特徴とする。
【００１０】
本発明に係るスライドミラー装置は、前記ミラーパネルを前記支持台に沿ってスライドさせるキャスターが、前記ミラーパネルの下端部に備えられた、ことを特徴とする。
【００１１】
本発明に係るスライドミラー装置は、複数の前記支持側レール部と複数の前記スライド側レール部とが平行に配置された、ことを特徴とする。
【発明の効果】
【００１２】
本発明に係るスライドミラー装置は、上記した構成である。すなわち、支持側レール部が支持台の上端に備えられ、この支持側レール部の裏側にスライド側レール部が連結されているため、各レール部が支持台とミラーパネルとの間に存在しない分、間が詰められる。したがって、ミラーパネルの裏側に隙間が空くことが最小限に抑えられる。また、側方から視した場合であっても、支持台の内側が閉塞した状態であるため、優れた美感を実現することができる。さらに、ミラーパネルが必要以上に表側に張り出さないため、ミラーパネルが施術の妨げとならず、円滑に施術を行うことができる。
【００１３】
本発明に係るスライドミラー装置は、連結部材が、スライド側レール部の裏側に引っ掛かるフック状に形成されている。すなわち、連結部材がスライド側レール部に引っ掛けられることで、ミラーパネルが支持台に取り付けられる。したがって、構造や組み立てを簡便にすることができる。
【００１４】
本発明に係るスライドミラー装置は、スライド側レール部から裏側に向けられた支持部が備えられ、連結部材のうち、支持部に支持された引掛け部の下端が、裏側に向けて鋭角に折り返された形状である。すなわち、フック状に形成された連結部材は、引掛け部が支持部に支持されてスライド側レール部の裏側に引っ掛けられている。引掛け部の下端は裏側に向けて鋭角に折り返された形状であるため、折り返された分、支持部から離され、折り返された部分と支持部との間に隙間が形成される。この状態で、仮にミラーパネルの下端側が表側に向けて持ち上げられた場合、ミラーパネルは引掛け部の下端を支点として傾く。ここで、引掛け部の下端が裏側に向けて鋭角に折り返された形状であるため、ミラーパネルと共に傾いた引掛け部は、折り返された部分が支持部との隙間に入る。したがって、折り返された部分が支持部に押し当てられることがなく、引掛け部の破損を抑止することができる。
【００１５】
本発明に係るスライドミラー装置は、ミラーパネルを支持台に沿ってスライドさせるキャスターが、ミラーパネルの下端部に備えられている。この構成により、スライドミラー装置のうち、上端部にのみレール構造が形成され、下端部はキャスターが備えられている。したがって、ミラーパネルを支持台に接触させない範囲で、ミラーパネルの裏側に隙間が空くことを最小限に抑えることができる。
【００１６】
本発明に係るスライドミラー装置は、複数の前記支持側レール部と複数の前記スライド側レール部とが平行に配置されている。したがって、レール部同士の連結状態を堅固にし、強度を高めることができる。
【図面の簡単な説明】
【００１７】
【図１】本発明の実施形態に係るスライドミラー装置の外観が示され、（ａ）がミラーパネルが閉じた状態の外観斜視図、（ｂ）がミラーパネルが開いた状態の外観斜視図である。
【図２】本発明の実施形態に係るスライドミラー装置のミラーパネルが閉じた状態の外観が示され、（ａ）が、上方から視した平面図、（ｂ）が、左側方から視した左側面図、（ｃ）が、表側から視した正面図、（ｄ）が、右側方から視した右側面図、（ｅ）が、裏側から視した背面図、（ｆ）が、下方から視した底面図である。
【図３】本発明の実施形態に係るスライドミラー装置のミラーパネルが開いた状態の外観が示され、（ａ）が平面図、（ｂ）が左側面図、（ｃ）が正面図、（ｄ）が右側面図、（ｅ）が背面図、（ｆ）が底面図である。
【図４】本発明の実施形態に係るスライドミラー装置における下端部の拡大右側面図である。
【図５】本発明の実施形態に係るスライドミラー装置における上端部の拡大右側面図である。
【図６】本発明の実施形態に係るスライドミラー装置におけるミラーパネルの取付過程が示され、（ａ）が、取り付け前の状態が示された取り付け前状態図、（ｂ）が、取り付け後の状態が示された取り付け後状態図である。
【図７】本発明の実施形態に係るスライドミラー装置におけるミラーパネルの取付過程の要部拡大斜視である。
【図８】本発明の実施形態に係るスライドミラー装置におけるミラーパネルの他の取付過程が示され、（ａ）が取り付け前状態図、（ｂ）が取り付け後状態図である。
【発明を実施するための形態】
【００１８】
以下に、本発明の実施形態に係るスライドミラー装置１０を図面に基づいて説明する。図１、図２および図３は、本発明の実施形態に係るスライドミラー装置１０の外観が示されている。
【００１９】
図１から図３に示されているとおり、スライドミラー装置１０は、収納棚１やシャンプーボール２が内側に備えられた支持台１１と、この支持台１１の表面側に備えられたミラーパネル１２とから構成されている。支持台１１は支持側レール部１３が備えられ、ミラーパネル１２はスライド側レール部１５が備えられている。各レール部１３，１５は連結され、ミラーパネル１２が各レール部１３，１５を介して自在にスライドする。なお、以下の説明では、図１を基準とし、ミラーパネル１２が備えられている側を表側とし、反対側を裏側とし、ミラーパネル１２がスライドして開く方向を右側方とし、ミラーパネル１２がスライドして閉じる方向を左側方とし、高さ方向である鉛直方向を上下とする。
【００２０】
支持台１１は、上方に向けてほぼ長方形に形成された、いわゆるラックなどであり、上段側の内側に形成された複数の収納棚１にシャンプー（図示省略）などが収納される。支持台１１の下段側に収納されたシャンプーボール２は、使用される際、表側に引き出される。支持台１１の表側で、上端部１００は、支持側レール部１３が取り付けられた支持側レール固定金具１４が取り付けられている。この支持側レール固定金具１４は、支持台１１における上端の裏側に取り付けられている。
【００２１】
ミラーパネル１２は、上方に向けてほぼ長方形であり、支持台１１の表面側に倣って表面側を塞ぐ程度の大きさに形成されている。ミラーパネル１２は、上方にスライド側レール部１５が取り付けられ、下方に、支持台１１に沿ってミラーパネル１２をスライドさせるキャスター３が取り付けられている。
【００２２】
ここで、ミラーパネル１２に取り付けられたキャスター３を図面に基づいて説明する。図４は、本発明の実施形態に係るスライドミラー装置１０における下端部１０１に取り付けられたキャスター３が示されている。
【００２３】
図４に示されているとおり、キャスター３は、ミラーパネル１２の裏側で、下端に取り付けられ、ローラー４が、上下方向を軸としてミラーパネル１２の裏側で支持台１１と対面して配置されている。この構成により、ミラーパネル１２がスライドする際、仮にミラーパネル１２が支持台１１に近接した場合、キャスター３が支持台１１に接触することでローラー４が回転し、ミラーパネル１２が支持台１１に沿って円滑にスライドする。
【００２４】
次に、支持台１１に取り付けられた支持側レール部１３、ミラーパネル１２に取り付けられたスライド側レール部１５、および、スライド側レール部１５とミラーパネル１２とを連結する連結部材２１を図面に基づいて説明する。図５は、本発明の実施形態に係るスライドミラー装置１０における上端部１００において、各レール部１３，１５および連結部材２１が示されている。
【００２５】
図５に示されているとおり、支持側レール部１３は、支持側レール固定金具１４を介して、支持台１１における上端の裏側に取り付けられ、この支持側レール部１３の裏側にスライド側レール部１５が連結されている。詳説すれば、支持側レール固定金具１４は、薄板状の部材が直角に折り曲げられたことで、側方から視して、ほぼ“Ｌ”字状に形成されている。
【００２６】
支持側レール部１３は、スライド側レール部１５と連結される側が裏側に向けられた状態で、支持側レール固定金具１４の裏側に取りつけられたことで、支持台１１の表面よりも裏側寄りに配置されている。スライド側レール部１５は、支持側レール部１３と連結される側が表側に向けられた状態で支持側レール部１３の裏側に連結され、裏側にスライド側レール固定金具１６が取り付けられている。
【００２７】
各レール部１３，１５についてさらに詳説すれば、各レール部１３，１５は、ボール（図示省略）を介してアウターメンバーとインナーメンバーとが連結された、いわゆるシングルスライドであり、支持側レール部１３およびスライド側レール部１５のそれぞれが、上下に二段ずつ、平行に配置されている。各レール部１３，１５は、支持側レール部１３のインナーメンバーである支持側インナーメンバー２９と、スライド側レール部１５のインナーメンバーであるスライド側インナーメンバー３１とが、向かい合った状態で連結され、また、支持側レール部１３のアウターメンバーである支持側アウターメンバー３０が、支持側レール固定金具１４の裏側に取り付けられ、スライド側レール部１５のアウターメンバーであるスライド側アウターメンバー３２にスライド側レール固定金具１６が取り付けられている。
【００２８】
スライド側レール固定金具１６は、左右側方に長手のほぼ長方形であり、下端が裏側に折り返されたことで、スライド側レール部１５から裏側に向けられた支持部としての支持溝部１７が形成されている。スライド側レール固定金具１６に連接された支持溝部１７は、側方から視して、ほぼ“Ｕ”字状に形成されている。すなわち、支持溝部１７は、スライド側レール固定金具１６の下端から裏側に向けて直角に折れ曲がった溝第一片部１８と、この溝第一片部１８の端から上方に向けて直角に折れ曲がった溝第二片部１９とから構成されている。溝第二片部１９は部分的に切り欠かれ、複数の凹部２０が形成されている（図７参照）。この凹部２０は、裏側から視して、ほぼ“Ｕ”字状に形成されている。
【００２９】
連結部材２１は、支持側レール部１３の表側からスライド側レール部１５の裏側に渡って形成されると共に、スライド側レール部１５の裏側（スライド側レール固定金具１６）に引っ掛かるフック状に形成され、次の各部から構成されている。すなわち、スライドパネル１２の裏面側に取り付けられたパネル側固定金具２２と、このパネル側固定金具２２に取り付けられてスライド側レール固定金具１６に引っ掛けられ、下端が裏側に向けて鋭角に折り返された形状である引掛け部としての引掛け金具２５とから連結部材２１が構成されている。
【００３０】
パネル側固定金具２２は、薄板状の部材が直角に折り曲げられたことで、側方から視して、ほぼ“Ｌ”字状に形成されている。詳説すれば、パネル側固定金具２２は、ミラーパネル１２の裏側に取り付けられたパネル固定第一片部２３と、このパネル固定第一片部２３の上端に連接されてミラーパネル１２の裏側に向けて張り出したパネル固定第二片部２４とから構成されている。パネル固定第二片部２４の端は複数の引掛け金具２５が取り付けられている。
【００３１】
引掛け金具２５は、薄板状の部材が、側方から視してクランク状に形成されている。詳説すれば、引掛け金具２５は、パネル固定第二片部２４の下面に取り付けられる引掛け第一片部２６と、この引掛け第一片部２６の端から下方に向け直角に折れ曲がった引掛け第二片部２７と、この引掛け第二片部２７の下端から裏側上方に向けて鋭角に折れ曲がった引掛け係止片部２８とから構成されている。
【００３２】
上記したスライド側レール固定金具１６と連結部材２１とを介して、スライド側レール部１５はミラーパネル１２と連結されている。ここで、スライドミラー装置１０におけるミラーパネル１２の取り付け手順を図面に基づいて説明する。図６および図８は、本実施形態に係るスライドミラー装置１０におけるミラーパネル１２の取り付け状態が示され、図７は取り付け状態の一部１０２が拡大して示されている。
【００３３】
図６に示されているとおり、スライド側レール部１５を右側方にスライドさせておき、ミラーパネル１２を支持台１１の表面側に配置する。連結部材２１を各レール部１３，１５の上方から被せるように上方に配置し、下方に降ろすと共に連結部材２１をスライド側レール部１５の裏側（スライド側レール固定金具１６）に引っ掛ける。
【００３４】
詳説すれば、図７に示されているとおり、引掛け金具２５の引掛け第二片部２７を、スライド側レール固定金具１６に沿わせ、引掛け金具２５の引掛け第二片部２７の下端を、スライド側レール固定金具１６の支持溝部１７に挿入する。支持溝部１７では引掛け第二片部２７が支持され、同時に、引掛け金具２５の引掛け係止片部２８が、スライド側レール固定金具１６の凹部２０に配置される。引掛け係止片部２８は、折れ曲がっている分、支持溝部１７から離され、引掛け係止片部２８と支持溝部１７との間に隙間５が形成される（図５参照）。このようにして、ミラーパネル１２が支持台１１に吊り下げられる。なお、図８に示されているとおり、スライド側レール部１５を左側方にスライドさせた状態で、ミラーパネル１２を支持台１１に吊り下げてもよい。
【００３５】
上記のとおり、スライドミラー装置１０が構成されている。
【００３６】
次に、本実施形態の効果を説明する。
【００３７】
上記したとおり、本実施形態によれば、支持側レール部１３は、スライド側レール部１５と連結される側が裏側に向けられた状態で、支持台１１の支持側レール固定金具１４の裏面側に取りつけられたことで、支持台１１の表面よりも裏側寄りに配置されている。一方、スライド側レール部１５は、支持側レール部１３と連結される側が表側に向けられた状態で支持側レール部１３の裏側に連結されている。
【００３８】
すなわち、各レール部１３，１５が支持台１１とミラーパネル１２との間に存在しない分、間が詰められる。したがって、ミラーパネル１２の裏側に隙間が空くことが最小限に抑えられる。また、側方から視した場合であっても、支持台１１の内側が閉塞した状態であるため、優れた美感を実現することができる。さらに、ミラーパネル１２が必要以上に表側に張り出さないため、ミラーパネル１２が施術の妨げとならず、円滑に施術を行うことができる。
【００３９】
本実施形態によれば、連結部材２１は、支持側レール部１３の表側からスライド側レール部１５の裏側に渡って形成されると共に、スライド側レール部１５の裏側（スライド側レール固定金具１６）に引っ掛かるフック状に形成されている。すなわち、連結部材２１がスライド側レール部１５の裏側（スライド側レール固定金具１６）に引っ掛けられることで、ミラーパネル１２が支持台１１に吊り下げられる。したがって、構造や組み立てを簡便にすることができる。
【００４０】
本実施形態によれば、スライド側レール部１５の裏側に取り付けられたスライド側レール固定金具１６は、下端が裏側に折り返されたことで、スライド側レール部１５から裏側に向けられた支持溝部１７が形成されている。一方、スライド側レール固定金具１６に引っ掛けられる連結部材２１の引掛け金具２５は、側方から視してクランク状に形成され、下端が裏側に向けて鋭角に折れ曲がった引掛け係止片部２８が形成されている。
【００４１】
すなわち、フック状に形成された連結部材２１は、引掛け金具２５が支持溝部１７に支持されてスライド側レール部１５の裏側（スライド側レール固定金具１６）に引っ掛けられている。引掛け金具２５の下端は裏側に向けて鋭角に折れ曲がった引掛け係止片部２８が形成されているため、折り返された分、支持溝部１７から離され、引掛け係止片部２８と支持溝部１７との間に隙間５が形成される。この状態で、仮にミラーパネル１２の下端側が表側に向けて持ち上げられた場合、ミラーパネル１２は引掛け金具２５の下端を支点として傾く。ここで、引掛け金具２５は、引掛け係止片部２８が裏側に向けて鋭角に折り返された形状であるため、ミラーパネル１２と共に傾いた引掛け金具２５は、引掛け係止片部２８が支持溝部１７との隙間５に入る。したがって、引掛け係止片部２８が支持溝部１７に押し当てられることがなく、引掛け金具２５の破損を抑止することができる。
【００４２】
また、引掛け係止片部２８が凹部２０の縁に係止されるため、左右方向への移動（ズレ）を抑止し、引掛け係止片部２８が支持溝部１７に押し当てられることがなく、引掛け金具２５の破損を抑止することができる。
【００４３】
本実施形態によれば、キャスター３は、ミラーパネル１２の裏側で、下端に取り付けられ、ローラー４が、上下方向を軸としてミラーパネル１２の裏側で支持台１１と対面して配置されている。この構成により、スライドミラー装置１０のうち、上端部１００にのみ各レール部１３，１５が取り付けられ、下端部１０１はキャスター３が備えられている。すなわち、各レール部１３，１５の構造と比較して構造が簡便なキャスター３が用いられている。したがって、構造や組み立てを簡便にすることができ、また、ミラーパネル１２を支持台１１に接触させない範囲で、ミラーパネル１２の裏側に隙間が空くことを最小限に抑えることができる。
【００４４】
本実施形態によれば、各レール部１３，１５は、支持側レール部１３のインナーメンバーである支持側インナーメンバー２９と、スライド側レール部１５のインナーメンバーであるスライド側インナーメンバー３１とが向かい合った状態で連結され、また、支持側レール部１３のアウターメンバーである支持側アウターメンバー３０が、支持側レール固定金具１４の裏側に取り付けられ、スライド側レール部１５のアウターメンバーであるスライド側アウターメンバー３２にスライド側レール固定金具１６が取り付けられている。この構成により、支持側インナーメンバー２９が支持側アウターメンバー３０に対してスライドし、この支持側アウターメンバー３０と共にスライドしたスライド側インナーメンバー３１に対してスライド側アウターメンバー３２がスライドする。すなわち、二段階でスライドするため、ミラーパネル１２の可動範囲が広がる。したがって、収納棚１やシャンプーボール２が十分に露出する範囲までミラーパネル１２をスライドすることができる。
【００４５】
本実施形態によれば、二つの支持側レール部１３と二つのスライド側レール部１５とが平行に配置されている。したがって、各レール部１３，１５同士の連結状態を堅固にし、強度を高めることができる。また、各レール部１３，１５のそれぞれが、上下に二段配置されているため、表側および裏側への強度を高めることができる。
【００４６】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００４７】
１                収納棚
２                シャンプーボール
３                キャスター
４                ローラー
５                隙間
１０              スライドミラー装置
１１              支持台
１２              ミラーパネル
１３              支持側レール部
１４              支持側レール固定金具
１５              スライド側レール部
１６              スライド側レール固定金具
１７              支持溝部（支持部）
１８              溝第一片部
１９              溝第二片部
２０              凹部
２１              連結部材
２２              パネル側固定金具
２３              パネル固定第一片部
２４              パネル固定第二片部
２５              引掛け金具（引掛け部）
２６              引掛け第一片部
２７              引掛け第二片部
２８              引掛け係止片部
２９              支持側インナーメンバー
３０              支持側アウターメンバー
３１              スライド側インナーメンバー
３２              スライド側アウターメンバー
１００            上端部
１０１            下端部
１０２            取り付け状態の一部
【図１】
2017093875.tif 000003
【図２】
2017093875.tif 000004
【図３】
2017093875.tif 000005
【図４】
2017093875.tif 000006
【図５】
2017093875.tif 000007
【図６】
2017093875.tif 000008
【図７】
2017093875.tif 000009
【図８】
2017093875.tif 000010